(57)【要約】【目的】本発明は、施工機能、防水機能、等を向上したケラバ部構造に係るものである。【構成】上下端部に雄雌嵌合構造を形成し、長手方向の左右端部の一端部を下方に垂下して折り返して係止片Ａ３を形成した屋根材Ａの端部をケラバ部において納める構造において、水平面状の固定片Ｆ１と、固定片Ｆ１の途中を上方に突出した防水片Ｆ３と、固定片Ｆ１の一端を下方に垂下した化粧片Ｆ４と、化粧片Ｆ４の上端を上方に突出した側片Ｆ６と、側片Ｆ６の上端を外方に突出した差込片Ｆ９とから形成したケラバ部材Ｆを使用し、固定されたケラバ部材Ｆの差込片Ｆ９に屋根材Ａの係止片Ａ３を係止することにより形成したことを特徴とするケラバ部構造である。【選択図】図１
2015178719.tif 000002
【特許請求の範囲】
【請求項１】
上下端部に雄雌嵌合構造を形成し、長手方向の左右端部の一端部を下方に垂下して折り返して係止片を形成した屋根材の端部をケラバ部において納める構造において、水平面状の固定片と、該固定片の途中を上方に突出した防水片と、固定片の一端を下方に垂下した化粧片と、該化粧片の上端を上方に突出した側片と、該側片の上端を外方に突出した差込片とから形成したケラバ部材を使用し、固定されたケラバ部材の差込片に屋根材の係止片を係止することにより形成したことを特徴とするケラバ部構造。
【発明の詳細な説明】
【技術分野】
【０００１】
本発明は、施工機能、防水機能、等を向上したケラバ部構造に係るものである。
【背景技術】
【０００２】
一般に、金属製板材をロール成形、プレス成形等して加工したケラバ部材は数多く上市されている。（例えば、特許文献１〜５参照）。
【０００３】
【特許文献１】特開平１０−０４６７５５
【特許文献２】特開平１０−０４６７５７
【特許文献３】特開昭６２−２９６０４７号公報
【特許文献４】実開昭５６−０２９１２２号公報
【特許文献５】実開昭６２−００６１７６号公報
【発明の開示】
【発明が解決しようとする課題】
【０００４】
しかしながら特許文献１、２においては、ケラバ唐草２２の固定面が、ケラバ唐草２２の端縁部と略同一面上に存在する形状のため、段差があり裏面に断熱材等を形成した屋根材を使用した場合には、図１６（ａ）に示すように、屋根材端部を折り曲げて形成した係止片部分を大きく形成しなければならなかったり、図１６（ｂ）に示すように、ケラバ唐草と屋根材間に段差が形成され、屋根材端部を変形させないと施工が出来ないものであった。また、特許文献３においては、現場にて屋根材を１枚ずつ加工しなければならないと共に、妻側側面での加工を行う必要があり、危険性を伴うものであり、折り込んだ部分が外部に表れているため、美観性の上からも熟練を要する不利があった。さらに、特許文献４、５は長尺状の金属製板材を成形し、屋根材端部が挿入出来る空間を形成し、その空間に屋根材端部を挿入することにより、ケラバ部を形成するものであるが、屋根材端部を挿入しただけの構造であるために、防水性、耐風圧強度の点において劣るものであった。
【課題を解決するための手段】
【０００５】
本発明はこのような欠点を解決するために、上下端部に雄雌嵌合構造を形成し、長手方向の左右端部の一端部を下方に垂下して折り返して係止片を形成した屋根材の端部をケラバ部において納める構造において、水平面状の固定片と、固定片の途中を上方に突出した防水片と、固定片の一端を下方に垂下した化粧片と、化粧片の上端を上方に突出した側片と、側片の上端を外方に突出した差込片とから形成したケラバ部材を使用し、ケラバ部材の差込片に屋根材の係止片を係止することにより形成したケラバ部構造を提供するものである。
【発明の効果】
【０００６】
以上説明したように、本発明に係るケラバ部構造によれば、（１）防水片の形成により固定片、側片と共に樋状の空間を形成出来、万が一の雨水の浸入に対しても防水性に優れる。（２）屋根材端部を差込片に嵌合出来るために、端部の強度が強化され、耐風圧強度に優れる。（３）高さのある側片の形成により、屋根材端部を差込片に挿入する際に、屋根材端部の変形を極力防止することが出来、ケラバ部の納まり、施工性、美観性が向上する。（４）屋根材の張り初めに使用する唐草としても使用出来る。等の特徴、効果がある。
【図面の簡単な説明】
【０００７】
【図１】本発明に係るケラバ部構造の代表的一例を示す説明図である。
【図２】本発明に係るケラバ部構造に使用するケラバ部材を示す説明図である。
【図３】本発明に係るケラバ部構造に使用する屋根材の代表的一例を示す説明図である。
【図４】本発明に係るケラバ部構造に使用する屋根材の施工状態を示す説明図である。
【図５】本発明に係るケラバ部構造に使用する屋根材の施工状態を示す説明図である。
【図６】本発明に係るケラバ部構造に使用する屋根材の施工状態を示す説明図である。
【図７】本発明に係るケラバ部構造に使用する屋根材を示す説明図である。
【図８】本発明に係るケラバ部構造に施工する屋根材を示す説明図である。
【図９】本発明に係るケラバ部構造に使用する屋根材を示す説明図である。
【図１０】本発明に係るケラバ部構造に施工する屋根材を示す説明図である。
【図１１】本発明に係るケラバ部構造に使用する屋根材の施工状態と、屋根材の端部を示す説明図である。
【図１２】本発明に係るケラバ部構造に使用する屋根材を示す説明図である。
【図１３】本発明に係るケラバ部構造に使用する屋根材の施工順序を示す説明図である。
【図１４】本発明に係るケラバ部構造に使用する屋根材の施工順序を示す説明図である。
【図１５】本発明に係るケラバ部構造に使用する屋根材の施工状態を示す説明図である。
【図１６】本発明に係るケラバ部材の従来例の施工状態を示す説明図である。
【発明を実施するための形態】
【０００８】
以下に図面を用いて本発明に係るケラバ部構造について詳細に説明する。図１は本発明に係るケラバ部構造の代表的一例を示す説明図、図２は本発明に係るケラバ部構造に使用するケラバ部材を示す説明図である。
【０００９】
ケラバ部材Ｆは図２に示すように、水平面状の固定片Ｆ１と、固定片Ｆ１の一端を内方で上方に傾斜して突出した舌片Ｆ２と、固定片Ｆ１の途中を上方に大きく三角形状に突出した防水片Ｆ３と、固定片Ｆ１の他端を下方に垂下した化粧片Ｆ４と、化粧片Ｆ４の下端を内方に折り返して屈曲した折り返し片Ｆ５と、化粧片Ｆ４の上端を上方に突出した側片Ｆ６と、Ｆ６側片の上端を外方に突出した載置片Ｆ７と、載置片Ｆ７の先端を下方に垂下した垂下片Ｆ８とから形成した差込片Ｆ９とから長尺状に形成したものである。
【００１０】
ケラバ部材Ｆは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００１１】
なお、図１において、Ｓは既存新生瓦屋根、Ｓ１はカバー部材であり、既存の屋根の改修構造を示すものである。
【００１２】
固定片Ｆ１は図１に示すようにケラバ部材Ｆを下地αに固定するための部分である。
【００１３】
舌片Ｆ２と、防水片Ｆ３は、万が一の雨水等の浸入時に際し、防水壁として機能し、下地αまで雨水が浸入するのを防止するために形成したものである。また、側片Ｆ６の形成により、固定片Ｆ１、防水片Ｆ３、側片６により樋状の深い溝を形成し、この溝により棟から軒方向に雨水などを流下させるものである。
【００１４】
側片Ｆ６は、上記のように防水性の強化と共に、屋根材Ａの厚さに対応、つまり屋根材Ａの最低厚さの高さをＺ１とし、側片Ｆ６の高さをＺとすると、Ｚ≦Ｚ１の関係とすることにより、屋根材Ａの係止片Ａ３をケラバ部材Ｆの差込片Ｆ９に嵌合した際に、その高さＺにより屋根材Ａ端部の嵌合時の変形を防止し、ケラバ部の納まり、施工性、美観性が向上するものである。
【００１５】
図３（ａ）〜（ｃ）は本発明に係るケラバ部構造に施工する金属製屋根材Ｂと断熱材Ｃ、裏面材Ｄよりなる屋根材Ａの代表的一例を示す説明図、図４〜６は屋根材Ａの施工状態を示す説明図、図７〜図１０は屋根材Ａの左右端部を示す説明図、図１１（ａ）〜（ｃ）において、（ａ）図は図５のａ−ａ部端面図、（ｂ）図は図５のｂ−ｂ部端面図、（ｃ）図は図８のｃ−ｃ部端面図である。
【００１６】
また、図１２（ａ）〜（ｃ）において、（ａ）図は図８のｄ−ｄ部断面図、（ｂ）図は図１２のｅ−ｅ部断面図、（ｃ）図は図９のｆ−ｆ部断面図である。さらに、図１３（ａ）〜（ｃ）、図１４（ａ）〜（ｃ）は施工順序を示す説明図、図１５は施工状態を示す説明図である。図中、αは下地、βは釘等の固定具、γは縦目地、γ１は横目地、Ｋは家屋、Ｍは窓、Ｙは屋根を示している。
【００１７】
下地αは、図４に示すように垂木１、野地板２、防水シート３から構成した木造下地上にコロニアル等の新生瓦屋根（コロニアル）固定した既存屋根下地を示したものである。
【００１８】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００１９】
さらに説明すると、金属製屋根材Ｂは長尺板状であり、図３（ａ）〜（ｃ）に示すように、略水平面状の化粧面４と、裏面５と、化粧面４の水下側端部を屋内側に垂下した段差化粧面６と、水上側に開口するように略コ字状に屈曲して差込縁７を形成し、化粧面４と段差化粧面６と差込縁７とから略Ｕ字状の引っ掛け溝８を形成して雄型連結部９としたものである。
【００２０】
また、図３（ａ）〜（ｃ）に示すように、化粧面４の水上側端部には化粧面４の先端を水下側に開口して断面略Ｕ字状に形成した前記差込縁７と嵌合する嵌合溝１０と、嵌合溝１０の上縁となる嵌合縁１１と、固定面１２を形成し雌型連結部１３としたものである。
【００２１】
さらに、図７、図９、図１１（ａ）〜（ｃ）に示すように、金属製屋根材Ｂの一端縁には、下端部１４ａを化粧面４の屋外側で内側方に突出すると共に、屋外側へ傾斜して突出した傾斜防水片１５と、傾斜防水片１５に形成した凹部１６と、凹部１６により形成した防水空隙１７と、傾斜防水片１５の先端よりも外方の化粧面４上に、化粧面４中央へ傾斜して屋外側へ突出した凸部１８とから形成した下連結部１４を形成したものである。さらに説明すると、傾斜防水片１５は凹部１６を境にして水平片１５ａと傾斜片１５ｂを形成することにより、凹部１６を中心にして傾斜片１５ｂが金属製屋根材Ｂの裏面５に接触した場合にスムーズに裏面５に沿って変形出来るようにしたものである。
【００２２】
また、金属製屋根材Ｂの他端縁には、図８、図１０、図１１（ａ）〜（ｃ）に示すように、金属製屋根材Ｂの他端縁の上端部１９ａを外側方にさらに突出した突出片２０と、突出した部分の雌型連結部１３部分を切断した切り欠き２１と、突出片２０の先端を内方に折り返した舌片２２と、突出片２０の先端を屋内側に傾斜して垂下した当接片２０ａと、突出片２０の裏面部分の切り欠き２３と、差込縁７の上端部１９ａ近傍を切り欠いた水抜き孔２４、第２水抜き孔２５と、位置決め片２６と、当接片２０ａより形成される防水空隙２７とから形成した上連結部１９を形成したものである。
【００２３】
下連結部１４は、図５、図６、図１１（ａ）〜（ｃ）に示すように、上連結部１９が連結されることにより、防水機能を発揮する部分である。
【００２４】
傾斜防水片１５は、下端部１４ａを屋外側に折り返して形成すると共に、先端部分を屋外側に傾斜して形成することにより、突出片２０の裏面５にそのスプリングバック機能により当接して防水性を強化すると共に、途中に凹部１６を形成することにより、防水空隙１７を連結部内に形成し、さらに防水性を向上するものである。なお、当接片２０ａの高さをＨ、傾斜防水片１５の高さをｈとすると、Ｈ＜ｈの関係である。
【００２５】
凸部１８は、図７に示すように化粧面４中央の水下側へ傾斜して一定ピッチで複数個形成することにより、内部に浸入しようとする雨水、風等を図５に点線矢印で示すように外部に排出すると共に、傾斜防水片１５、凹部１６、防水空隙１７、当接片２０ａ、防水空隙２７との相乗効果により、さらに、防水性、気密性を向上するものである。
【００２６】
図では、その形成角度ｒは、ｒ＝３０°としている。また、凸部１８の形成位置は、下端部１４ａから凸部１８形成位置までの幅をｗ、図８に示すように上端部１９ａから突出片２０の先端までの幅（切り欠き２３の幅）をＷとすると、Ｗ＞ｗの関係である。なお、図７に示すように凸部１８間の関係において、凸部１８間に垂直方向の重なりｔを設けると、さらに防水性が向上するものである。なお、凸部１８の垂直方向の重なりをＴとすると、Ｔ≧０である。
【００２７】
このように凸部１８を傾斜して複数個形成することにより、端部の成形歪みを最小限にして成型が可能である。また、歪みがないので金属製屋根材Ｂの寸法精度が向上し、さらに、寸法精度の向上により、施工性、防水性が向上するものである。
【００２８】
上連結部１９は、図５、図６、図１１（ａ）〜（ｃ）に示すように、下連結部１４上に連結されることにより、防水機能を発揮する部分である。
【００２９】
突出片２０は、図１１（ａ）に示すように、切り欠き２１を介して下連結部１４上に形成され、防水性を有する縦目地γを形成する部分であり、凸部１８、当接片２０ａにより複数の防水空隙２７を形成して防水性、気密性を向上するものである。
【００３０】
切り欠き２１は、金属製屋根材Ｂ同士を連結する際に、雌型連結部１３部分が邪魔にならないように、嵌合縁１１、固定片１２を切り欠いた空間である。勿論、切り欠き２１には断熱材Ｃと裏面材Ｄは存在しない。
【００３１】
当接片２０ａは、突出片２０と化粧面４間の縦目地γに空隙が形成されるのを防止し、防水性を向上すると共に、意匠性の向上と、端部がバタ付かないように形成するものであり、傾斜して形成することにより、スプリングバックを発揮するものである。さらに、当接片２０を形成することにより端部に風によるダウンフォースが働き、端部の密着性を向上して隙間を無くし、さらに防水性を向上するものである。
【００３２】
切り欠き２３は、屋根材Ａ同士を横方向で連結する際に、断熱材Ｃと裏面材Ｄが邪魔にならないように切り欠いた空間である。
【００３３】
水抜き孔２４は、図４〜図６に示すように連結した際に、縦目地γ部分から浸入した雨水が、差込縁７部分から内部に浸入しないように、下段の屋根材Ａ上の化粧面４に排水する部分である。
【００３４】
第２水抜き孔２５は、図４〜図６に示すように連結した際に、縦目地γ部分から浸入した雨水が、水抜き孔２４を越えて浸入しようとした際に、下段の屋根材Ａ上の化粧面４に排水する部分である。また、位置決め片２６は切り欠き２３の形成位置を特定するための部分である。勿論、位置決め片２６は屋根材Ａ製造時には、断熱材Ｃと裏面材Ｄを形成した複数枚の連続した屋根材Ａ同士を、切り離すための断熱材Ｃと裏面材Ｄの切断位置（目印）としても機能する部分である。
【００３５】
断熱材Ｃは防水材、断熱材、補強材、嵩上げ材、防音材、吸音材、緩衝材、防火材、結露防止材、等として機能するものであり、主に、合成樹脂発泡体を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材、もしくは裏面材の裏面側に吐出させ、加熱して反応・発泡・硬化させて形成したものである。
【００３６】
また、断熱材Ｃ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【００３７】
裏面材Ｄはクラフト紙、アルミ蒸着紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００３８】
パッキング材Ｅは図１０、図１１（ａ）に点線で示すように、当接片２０ａ付近の裏面に連続状に形成し、縦目地γから雨水が浸入するのを防止するものである。勿論、パッキング材Ｅは傾斜防水片１５上、あるいは下端部１４ａ側の化粧面４上に連続状に形成しても良いものである。
【００３９】
パッキング材Ｅとしては、例えば定型で弾性のあるパッキング材Ｅとしては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のパッキング材Ｅとしてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。
【００４０】
そこで、本発明に係る屋根材の施工方法について説明する。そこで、図３（ａ）、（ｃ）に示すような屋根材Ａを、図４、図１３（ａ）〜（ｃ）〜図１５に示すように施工するとする。
【００４１】
まず、図４に示すように下段の屋根材Ａ上に上段の屋根材Ａを施工した図１３（ａ）、図１４（ａ）の左の屋根材Ａ１の下連結部１４上に、図１３（ｂ）、図１４（ｂ）に示すように右の屋根材Ａ２の上連結部１９を重ね合わせる。
【００４２】
その後、図１３（ｂ）、図１４（ｂ）に矢印で示すように右の屋根材Ａを押し込むように差し込んで施工し、屋根材Ａ２の固定片１２を図４に示すように釘等の固定具βにより下地αに固定し、図１４（ｃ）に示すように施工するものである。この工程を、右方向、上方向に順次行うことにより、図１５に示すように施工を完了するものである。勿論、右の屋根材Ａ２を斜め方向に押し込むように差し込んで施工することも可能である。
【符号の説明】
【００４３】
α  下地
β  固定具
γ  縦目地
γ１  横目地
Ａ  屋根材
Ａ１  屋根材
Ａ２  屋根材
Ａ３  係止片
Ｂ  金属製屋根材
Ｃ  断熱材
Ｄ  裏面材
Ｅ  パッキング材
Ｆ  ケラバ部材
Ｆ１  固定片
Ｆ２  舌片
Ｆ３  防水片
Ｆ４  化粧片
Ｆ５  折り返し片
Ｆ６  側片
Ｆ７  載置片
Ｆ８  垂下片
Ｆ９  差込片
Ｋ  家屋
Ｍ  窓
Ｓ  既存新生瓦屋根
Ｓ１  カバー部材
Ｙ  屋根
１  垂木
２  野地板
３  防水シート
４  化粧面
５  裏面
６  段差化粧面
７  差込縁
８  引っ掛け溝
９  雄型連結部
１０  嵌合溝
１１  嵌合縁
１２  固定片
１３  雌型連結部
１４  下連結部
１４ａ  下端部
１５  傾斜防水片
１５ａ  水平片ａ
１５ｂ  傾斜片
１６  凹部
１７  防水空隙
１８  凸部
１９  上連結部
１９ａ  上端部
２０  突出片
２０ａ  当接片
２１  切り欠き
２２  舌片
２３  切り欠き
２４  水抜き孔
２５  第２水抜き孔
２６  位置決め片
２７  防水空隙
【図１】
2015178719.tif 000003
【図２】
2015178719.tif 000004
【図３】
2015178719.tif 000005
【図４】
2015178719.tif 000006
【図５】
2015178719.tif 000007
【図６】
2015178719.tif 000008
【図７】
2015178719.tif 000009
【図８】
2015178719.tif 000010
【図９】
2015178719.tif 000011
【図１０】
2015178719.tif 000012
【図１１】
2015178719.tif 000013
【図１２】
2015178719.tif 000014
【図１３】
2015178719.tif 000015
【図１４】
2015178719.tif 000016
【図１５】
2015178719.tif 000017
【図１６】
2015178719.tif 000018